(57)【要約】【課題】上りリンク制御チャネルに制御情報を効率的に多重し、無線リソースを効率的に使用することを目的とする。【解決手段】シングルキャリア方式で上りリンク制御チャネルをユーザ装置から受信する基地局は、ユーザ装置にデータを送信する送信部と、前記送信部から送信したデータに対する受信判定結果としての送達確認情報が含まれた上りリンク制御チャネルをユーザ装置から受信する受信部とを有し、前記受信部は、前記送信部から送信されたデータがパーシステント・スケジューリングで送信されたデータでなければ、下りリンク制御チャネルの無線リソース番号と一対一に対応したインデックスの無線リソースに割り当てられた上りリンク制御チャネルを受信し、前記送信部から送信されたデータがパーシステント・スケジューリングで送信されたデータであれば、高レイヤのシグナリングにより特定された無線リソースに割り当てられた上りリンク制御チャネルを受信する。【選択図】図６
2010213353.tif 000002
【特許請求の範囲】
【請求項１】
シングルキャリア方式で上りリンク制御チャネルをユーザ装置から受信する基地局であって、
ユーザ装置にデータを送信する送信部と、
前記送信部から送信したデータに対する受信判定結果としての送達確認情報が含まれた上りリンク制御チャネルをユーザ装置から受信する受信部とを有し、
前記受信部は、前記送信部から送信されたデータがパーシステント・スケジューリングで送信されたデータでなければ、下りリンク制御チャネルの無線リソース番号と一対一に対応したインデックスの無線リソースに割り当てられた上りリンク制御チャネルを受信し、前記送信部から送信されたデータがパーシステント・スケジューリングで送信されたデータであれば、高レイヤのシグナリングにより特定された無線リソースに割り当てられた上りリンク制御チャネルを受信する基地局。
【請求項２】
前記受信部は、チャネル品質情報が上りリンク制御チャネルに含められている場合、システム帯域の外側部分のリソースブロックに配置された上りリンク制御チャネルを受信し、送達確認情報が上りリンク制御チャネルに含められている場合、システム帯域の外側部分のリソースブロックのうち、チャネル品質情報が含まれた上りリンク制御チャネルを配置させるべきリソースブロックとは異なったリソースブロックに配置された上りリンク制御チャネルを受信する請求項１に記載の基地局。
【請求項３】
前記受信部は、送達確認情報に対して、サイクリック・シフトさせたＣＡＺＡＣ系列と、ブロック拡散とを使用することによって生成された上りリンク制御チャネルを受信することを特徴とする請求項１または２に記載の基地局。
【請求項４】
前記受信部は、チャネル品質情報に対して、サイクリック・シフトさせたＣＡＺＡＣ系列を使用することによって生成された上りリンク制御チャネルを受信することを特徴とする請求項２に記載の基地局。
【請求項５】
シングルキャリア方式で上りリンク制御チャネルをユーザ装置から受信する基地局において使用される受信方法であって、
ユーザ装置にデータを送信するステップと、
送信したデータに対する受信判定結果としての送達確認情報が含まれた上りリンク制御チャネルをユーザ装置から受信するステップとを有し、
前記受信するステップは、送信されたデータがパーシステント・スケジューリングで送信されたデータでなければ、下りリンク制御チャネルの無線リソース番号と一対一に対応したインデックスの無線リソースに割り当てられた上りリンク制御チャネルを受信し、送信されたデータがパーシステント・スケジューリングで送信されたデータであれば、高レイヤのシグナリングにより特定された無線リソースに割り当てられた上りリンク制御チャネルを受信する受信方法。
【発明の詳細な説明】
【技術分野】
【０００１】
本発明は、基地局及び受信方法に関する。
【背景技術】
【０００２】
Ｗ−ＣＤＭＡ（Wideband Code Division Multiple Access）やＨＳＤＰＡ（High Speed Downlink Packet Access）の後継となる通信方式、すなわち、ＬＴＥ（Long Term Evolution）が標準化団体３ＧＰＰ（3rd Generation Partnership Project）により検討されている。この中で、上りリンクについては、シングルキャリア方式（ＳＣ−ＦＤＭＡ：Single-Carrier Frequency Division Multiple Access）が検討されている（例えば、非特許文献１参照）。
【０００３】
ＬＴＥにおける上りリンク通信チャネルの構成例を図１に示す。図１に示すように、システム帯域は複数の周波数ブロックに分割される。周波数ブロックは、リソースブロックとも呼ばれ、帯域を割り当てるときの最小単位である。また、時間領域は、サブフレームと呼ばれる送信単位に分割されている。サブフレームは、更に２つのスロットに分割される。
【０００４】
この上りリンク通信チャネルには、上りリンク共有チャネル（ＰＵＳＣＨ：Physical Uplink Shared Channel）と上りリンク制御チャネルＡ及びＢ（ＰＵＣＣＨ：Physical Uplink Control Channel）とが用いられる。上りリンク共有チャネルでは、ユーザデータが伝送される。上りリンク制御チャネルＡ及びＢでは、適応変復調・符号化（ＡＭＣ：Adaptive Modulation and Coding）に用いるためのチャネル品質情報（ＣＱＩ：Channel Quality Indicator）、下りリンク共有チャネルに対する送達確認情報（ＡＣＫ／ＮＡＣＫ）、又はユーザ装置でユーザデータが発生したときに基地局にスケジューリングを要求するためのスケジューリング要求情報のような制御情報が伝送される。なお、上りリンク制御チャネルは、１サブフレーム内の２つのスロット間でマッピングされる位置が異なる（周波数ホッピングが行われる）（例えば、非特許文献２参照）。
【先行技術文献】
【非特許文献】
【０００５】
【非特許文献１】3GPP TR25.814(V7.0.0),"Physical Layer Aspects for Evolved UTRA", June 2006
【非特許文献２】R1-070100, CDMA-Based Multiplexing Method for Multiple ACK/NACK and CQI in E-UTRA Uplink, January 2007
【発明の概要】
【発明が解決しようとする課題】
【０００６】
上記のように、上りリンク制御チャネルには、チャネル品質情報（ＣＱＩ）、送達確認情報（ＡＣＫ／ＮＡＣＫ）、スケジューリング要求情報が多重される。上りリンク制御チャネルで送信する制御情報は、トラヒック量の増大と共に大きくなり、１つの周波数ブロックでは送ることができなくなる可能性がある。このときに、上りリンク制御チャネルと上りリンク共有チャネルとをシステム帯域に効率的に割り当てなければ、無線リソースに無駄が生じる。
【０００７】
また、チャネル品質情報（ＣＱＩ）、送達確認情報（ＡＣＫ／ＮＡＣＫ）、スケジューリング要求情報を上りリンク共有チャネルに効率的に多重しなければ、上りリンク共有チャネルに確保された無線リソースが効率的に使用できなくなるばかりでなく、上りリンク共有チャネルの処理が複雑になる。
【０００８】
本発明は、上記の課題のうち少なくとも１つを解決するためになされたものであり、上りリンク制御チャネルに制御情報を効率的に多重し、無線リソースを効率的に使用することを目的とする。
【課題を解決するための手段】
【０００９】
本発明の基地局は、
シングルキャリア方式で上りリンク制御チャネルをユーザ装置から受信する基地局であって、
ユーザ装置にデータを送信する送信部と、
前記送信部から送信したデータに対する受信判定結果としての送達確認情報が含まれた上りリンク制御チャネルをユーザ装置から受信する受信部とを有し、
前記受信部は、前記送信部から送信されたデータがパーシステント・スケジューリングで送信されたデータでなければ、下りリンク制御チャネルの無線リソース番号と一対一に対応したインデックスの無線リソースに割り当てられた上りリンク制御チャネルを受信し、前記送信部から送信されたデータがパーシステント・スケジューリングで送信されたデータであれば、高レイヤのシグナリングにより特定された無線リソースに割り当てられた上りリンク制御チャネルを受信することを特徴とする。
【００１０】
本発明の受信方法は、
シングルキャリア方式で上りリンク制御チャネルをユーザ装置から受信する基地局において使用される受信方法であって、
ユーザ装置にデータを送信するステップと、
送信したデータに対する受信判定結果としての送達確認情報が含まれた上りリンク制御チャネルをユーザ装置から受信するステップとを有し、
前記受信するステップは、送信されたデータがパーシステント・スケジューリングで送信されたデータでなければ、下りリンク制御チャネルの無線リソース番号と一対一に対応したインデックスの無線リソースに割り当てられた上りリンク制御チャネルを受信し、送信されたデータがパーシステント・スケジューリングで送信されたデータであれば、高レイヤのシグナリングにより特定された無線リソースに割り当てられた上りリンク制御チャネルを受信することを特徴とする。
【発明の効果】
【００１１】
本発明の実施例によれば、上りリンク制御チャネルに制御情報を効率的に多重し、無線リソースを効率的に使用することができる。
【図面の簡単な説明】
【００１２】
【図１】ＬＴＥにおける上りリンク通信チャネルの構成例
【図２】本発明の実施例に係る上りリンク制御チャネルへの制御情報の多重法を示す概念図
【図３】本発明の実施例に係る上りリンク通信チャネルの構成例
【図４】送達確認情報の符号領域における多重法を示す図
【図５】本発明の実施例に係る上りリンク制御チャネルへの制御情報の多重法を詳細に示す図
【図６】本発明の実施例に係るユーザ装置の構成図
【図７】本発明の実施例に係る基地局の構成図
【図８】本発明の実施例に係る上りリンク制御情報の送信方法を示すフローチャート
【発明を実施するための形態】
【００１３】
本発明の実施例について、図面を参照して以下に説明する。
【００１４】
＜上りリンク通信チャネルの構成例＞
図２及び図３を参照して、上りリンク通信チャネルの構成について説明する。図２は、本発明の実施例に係る上りリンク制御チャネルへの制御情報の多重法を示す概念図であり、図３は、上りリンク通信チャネルの構成例である。
【００１５】
上りリンク制御チャネルに多重される制御情報には、チャネル品質情報（ＣＱＩ）、送達確認情報（ＡＣＫ／ＮＡＣＫ）、スケジューリング要求情報及びパーシステント・スケジューリングで送信されたデータに対する送達確認情報が含まれる。なお、ＭＩＭＯ（Multiple Input Multiple Output）伝送を行うときのアンテナ本数（ランク）や重み付け（プリコーディングベクトル）等の品質情報も広義のチャネル品質情報に含まれる。これらの制御情報は、高レイヤのシグナリングを使用してユーザ個別に無線リソースを付与する必要のある制御情報と、ユーザ共有の無線リソースを使用することができる制御情報とに分類される。
【００１６】
基地局でスケジューリングされてユーザ装置に送信された下りデータに対する送達確認情報（ＡＣＫ／ＮＡＣＫ）は、下りリンク制御チャネルの無線リソース番号と一対一に対応したインデックスを有するため、ユーザ共有の無線リソースを使用することができる。すなわち、下りデータの無線リソースが決まった時点で、この送達確認情報（ＡＣＫ／ＮＡＣＫ）の無線リソースも一意に決まる。従って、基地局は、ユーザ個別に無線リソースを確保する必要なく、ユーザ共有で使用する所定量の無線リソースを予め決めておけばよい。ユーザ共有で使用される無線リソースで送達確認情報を受信すると、基地局は、何の下りデータに対する送達確認情報であるかを一意に導くことができる。
【００１７】
一方、チャネル品質情報（ＣＱＩ）及びスケジューリング要求情報は、下りリンク制御チャネルとの対応関係がないため、基地局は高レイヤのシグナリング等を用いて、ユーザ個別に無線リソースを付与し、この無線リソースの位置を高レイヤのシグナリング等でユーザ装置に通知する必要がある。また、ユーザ装置に対するデータ送受信のために定期的な無線リソースを付与するパーシステント・スケジューリングを用いる場合にも、パーシステント・スケジューリングで送信されたデータに対する送達確認情報は、下りリンク制御チャネルとの対応関係がないため、基地局はユーザ個別に無線リソースを付与し、この無線リソースの位置を高レイヤのシグナリング等でユーザ装置に通知する必要がある。
【００１８】
上りリンク制御チャネルの無線リソースを効率的に使用するため、これらの制御情報を上りリンク制御チャネルに多重するときに、図２に示すように、ユーザ共有で使用される無線リソースをシステム帯域の端から割り当てる。送達確認情報（ＡＣＫ／ＮＡＣＫ）は下りデータ量によって決まるため、下りデータで送信可能な情報量に基づいて予め固定的に割り当ててもよい。次に、他の制御チャネル（チャネル品質情報、スケジューリング要求情報及びパーシステント・スケジューリングで送信されたデータに対する送達確認情報）の無線リソースを送達確認情報用の無線リソースに隣接して割り当てる。このように割り当てることで、上りリンク制御チャネルの無線リソースが効率的に使用可能になると共に、基地局において上りリンク制御情報の処理が容易になる。
【００１９】
更に、上りリンク制御チャネルの無線リソース量に上限を設けてもよい。例えば、上りリンク制御チャネルの無線リソースの使用量が上限を超えないように、基地局は下りデータのスケジューリングを行う。このように上りリンク制御チャネルの無線リソース量に上限を設けることで、ユーザ装置に割り当てる制御ビット数を小さくすることができる。
【００２０】
次に、上記のように制御情報が多重された上りリンク制御チャネルを上りリンク通信チャネルに割り当てる方法について、図３を参照して説明する。
【００２１】
データ量の増大に伴う送達確認情報の増大、周波数ブロック毎の詳細なチャネル品質情報の報告、及びユーザ装置からのデータ送信量の増大に伴うスケジューリング要求の増大により、制御情報のトラヒック量が増大する。この場合に、システム帯域の両端に位置する周波数ブロックＡ及びＢだけでは、全ての制御情報を送信できなくなる可能性がある。この場合に、周波数ブロックＡ及びＢに隣接する次の周波数ブロックＣ及びＤを上りリンク制御チャネルに割り当てる。このように、システム帯域の端から順に上りリンク制御チャネルに割り当てることで、中央部分の連続した周波数ブロックを上りリンク共有チャネルに割り当てることができる。１つのユーザデータを連続した周波数ブロックに割り当てることで、オーバーヘッドを小さくすることができるため、上りリンク制御チャネルをシステム帯域の端から割り当てることにより、無線リソースが効率的に使用可能になる。
【００２２】
なお、上りリンク制御チャネルの無線リソース量に上限を設けることは、上りリンク制御チャネルに使用される周波数ブロック数に上限を設けることに相当する。
【００２３】
図２及び図３のように上りリンク制御チャネルを構成することにより、上りリンク制御チャネルに制御情報を効率的に多重し、無線リソースを効率的に使用することが可能になる。
【００２４】
上りリンク制御チャネルへの制御情報の具体的な多重法について、図４及び図５を参照して説明する。
【００２５】
上記のように、基地局でスケジューリングされてユーザ装置に送信された下りデータに対する送達確認情報（ＡＣＫ／ＮＡＣＫ）は、下りリンク制御チャネルの無線リソース番号と一対一に対応したインデックスを有する。図４に示すようにインデックス＃１〜＃９に対応する送達確認情報を多重するときに、ユーザ装置は、符号領域で送達確認情報を多重することができる。具体的には、送達確認情報をＣＡＺＡＣ系列で表すと仮定すると、ＣＡＺＡＣ系列をブロック拡散することにより、１つのＣＡＺＡＣ系列を用いて所定数の符号を直交化することができる。例えば１２０°の位相回転を与える場合には、１つのＣＡＺＡＣ系列で３種類の符号を直交化することができる。また、ＣＡＺＡＣ系列をサイクリック・シフト（巡回シフト）することにより、１つのＣＡＺＡＣ系列を用いて更に所定数（例えば６種類）の符号を直交化することができる。このように、ＣＡＺＡＣ系列を用いることで、１つの周波数ブロックに複数の送達確認情報を多重することができる。
【００２６】
図２を参照して説明したように、送達確認情報を上りリンク制御チャネルに割り当てた後に、ユーザ個別に無線リソースを付与する必要のある制御情報を、上りリンク制御チャネルの残りの無線リソースに割り当てる。このときも、図５に示すように、ユーザ個別に無線リソースを付与する必要のある制御情報を符号領域で多重する。符号領域で１つの周波数ブロックに多重可能な無線リソースを使い終えたときに、次の周波数ブロックを使用する。ＣＱＩ情報、スケジューリング要求情報、パーシステント・スケジューリングで送信されたデータに対する送達確認情報は、高レイヤのシグナリングにより無線リソースの位置が特定されるため、どのような順序で多重されてもよい。
【００２７】
なお、基地局でスケジューリングされた下りデータが存在しないときには、これに対応する送達確認情報も存在しない。すなわち、この送達確認情報の無線リソースに空きが生じる。この場合には、空きの無線リソースに他の制御情報（ユーザ個別に無線リソースを付与する必要のある制御情報）を割り当ててもよい。
【００２８】
＜ユーザ装置の構成＞
次に、図６を参照して、本発明の実施例に係るユーザ装置１０の構成について説明する。
【００２９】
ユーザ装置１０は、制御情報生成部１０１と、制御情報多重部１０３と、下りデータ受信部１０５とを有する。
【００３０】
制御情報生成部１０１は、ユーザ個別に割り当てられた無線リソースで送信する制御情報を生成する。例えば、制御情報生成部１０１は、チャネル品質情報（ＭＩＭＯ伝送を行うときの品質情報も含む）、スケジューリング要求情報、パーシステント・スケジューリングで送信されたデータに対する送達確認情報を生成する。
【００３１】
下りデータ受信部１０５は、基地局からスケジューリングにより送信されたデータを受信する。このデータが正しく受信されている場合には、肯定応答（ＡＣＫ）を生成し、データに誤りがある場合には、否定応答（ＮＡＣＫ）を生成する。
【００３２】
制御情報多重部１０３は、下りデータ受信部１０５で生成された送達確認情報（ＡＣＫ／ＮＡＣＫ）をシステム帯域の端に位置する無線リソースに割り当てる。この送達確認情報（ＡＣＫ／ＮＡＣＫ）は、システム帯域の端に位置する無線リソースのうち、下りデータの無線リソース番号に対応した位置に割り当てられる。次に、ユーザ個別に割り当てられた無線リソースで送信される制御情報を隣接する無線リソースに割り当てる。この制御情報は、送達確認情報に割り当てられた無線リソースに隣接する無線リソースのうち、基地局から高レイヤのシグナリングで指定された位置に割り当てられる。このように、制御情報多重部１０３は、送達確認情報（ＡＣＫ／ＮＡＣＫ）と他の制御情報とを上りリンク制御チャネルに多重する。なお、上りリンク制御チャネルの情報量が１つの周波数ブロックで送信可能な情報量を超えるときには、システム帯域の端から順に周波数ブロックが使用される。上りリンク制御チャネルに多重された制御情報は、基地局に送信される。
【００３３】
なお、図６では、本発明の実施例を説明するために個別の構成要素を用いてユーザ装置を表しているが、これらの構成要素を組み合わせたものが、１つのハードウェア又はソフトウェアで実現されてもよい。また、これらの構成要素のうち１つが、複数のハードウェア又はソフトウェアで実現されてもよい。
【００３４】
＜基地局の構成＞
次に、図７を参照して、本発明の実施例に係る基地局２０の構成について説明する。
【００３５】
基地局２０は、制御チャネル割り当て部２０１と、制御情報分離部２０３と、制御情報受信部２０５と、ユーザ個別制御チャネル情報生成部２０７と、ユーザ共通制御チャネル生成部２０９と、制御チャネル情報多重部２１１とを有する。
【００３６】
制御チャネル割り当て部２０１は、上りリンク制御チャネルに割り当てる制御情報の無線リソースを決定する。基地局でスケジューリングした下りデータに対して移動局から送達確認情報を受信するときの無線リソースは、上りリンク制御チャネルの端に割り当てられる。この送達確認情報のための無線リソースは、予め決められた所定量に設定されてもよい。また、チャネル品質情報、スケジューリング要求情報、パーシステント・スケジューリングで送信したデータに対する送達確認情報については、上記の送達確認情報のための無線リソースに隣接する無線リソースを割り当てる。この無線リソースのうち、どの位置に実際に制御情報を割り当てたかという割り当て情報は、以下に説明するユーザ個別制御チャネル情報生成部２０７及び制御チャネル情報多重部２１１を介して、高レイヤのシグナリングによってユーザ装置に通知される。
【００３７】
制御情報分離部２０３は、制御チャネル割り当て部２０１での割り当て情報に基づいて、制御情報を分離する。スケジューリングによりユーザ装置に送信した下りデータに対する送達確認情報は、システム帯域の端に位置する無線リソースの中から、下りリンク制御チャネルの無線リソース番号から特定される。また、他の制御情報は、高レイヤのシグナリングによってユーザ装置に通知した位置から特定される。これらの制御情報は、制御情報受信部２０５でユーザ毎に処理される。例えば、送達確認情報は、データの再送に使用され、チャネル品質情報又はスケジューリング要求情報は、スケジューリングに利用される。
【００３８】
ユーザ個別制御チャネル情報生成部２０７は、制御チャネル割り当て部２０１でユーザ個別に割り当てた無線リソースの割り当て情報を、高レイヤのシグナリングによってユーザ装置に通知するための制御チャネル情報を生成する。
【００３９】
ユーザ共通制御チャネル情報生成部２０９は、スケジューリングした下りデータに対して移動局から送達確認情報を受信するときに使用される無線リソースを、ユーザ装置に通知するための制御チャネル情報を生成する。なお、この無線リソースは、ユーザに共通で使用される。
【００４０】
制御チャネル情報多重部２１１は、ユーザ個別制御チャネル情報生成部２０７で生成された制御チャネル情報とユーザ共通制御チャネル情報生成部２０９で生成された制御チャネル情報とを多重する。これらの制御チャネル情報は、上りリンク制御チャネル割り当て情報として各ユーザ装置に送信される。
【００４１】
なお、図７では、本発明の実施例を説明するために個別の構成要素を用いて基地局を表しているが、これらの構成要素を組み合わせたものが、１つのハードウェア又はソフトウェアで実現されてもよい。例えば、制御情報受信部２０５又はユーザ個別制御チャネル情報生成部２０７は、１つのハードウェアで実現されてもよい。また、これらの構成要素のうち１つが、複数のハードウェア又はソフトウェアで実現されてもよい。
【００４２】
＜上りリンク制御情報の送信方法＞
次に、図８を参照して、本発明の実施例に係る上りリンク制御情報の送信方法について説明する。
【００４３】
まず、基地局（ＮｏｄｅＢ）は、上りリンク制御チャネルの無線リソースの割り当てを決定する（ステップＳ１０１）。具体的には、システムの端に位置する無線リソースを送達確認情報のために確保し、この無線リソースに隣接する無線リソースを他の制御情報（ＣＱＩ等）のために確保する。ここで、ユーザ装置が上りリンク制御チャネルでどの無線リソースを使用するかについての情報が生成され、上りリンク制御チャネル割り当て情報としてユーザ装置（ＵＥ）に送信される（ステップＳ１０３）。
【００４４】
基地局で下りデータが発生したときに（ステップＳ１０５）、基地局は下りデータをスケジューリングし（ステップＳ１０７）、下りデータの無線リソースの位置を下りリンク制御チャネルで送信すると共に、下りデータを送信する（ステップＳ１０９）。
【００４５】
ユーザ装置は、下りデータが正しく受信されているか否かを判定する（ステップＳ１１１）。この判定結果（ＡＣＫ／ＮＡＣＫ）は、上りリンク制御チャネル割り当て情報で指定されたシステム帯域の端に多重される。また、他の制御情報（ＣＱＩ等）は、上りリンク制御チャネル割り当て情報で指定された位置に多重される（ステップＳ１１３）。ユーザ装置は、送達確認情報及び他の制御情報（ＣＱＩ等）を上りリンク制御チャネルで基地局に送信する（ステップＳ１１５）。
【００４６】
基地局は、各ユーザ装置から受信した上りリンク制御チャネルから、それぞれの制御情報を分離し、制御情報に応じて、再送又はスケジューリングを行う（Ｓ１１７）。
【００４７】
このように、本発明の実施例によれば、上りリンク制御チャネルに制御情報を効率的に多重し、無線リソースを効率的に使用することができる。なお、上記では本発明の好適な実施例について説明したが、本発明は、上記の実施例に限定されることなく、特許請求の範囲内において種々の変更及び応用が可能である。例えば、本発明はＬＴＥに従った移動通信システムに限定されることなく、シングルキャリア方式で上りリンク制御チャネルが伝送される如何なる移動通信システムにも適用可能である。
【００４８】
以上の実施例を含む実施形態に関し、更に、以下の項目を開示する。
【００４９】
（１）シングルキャリア方式で上りリンク制御チャネルを基地局に送信するユーザ装置であって：
前記基地局からスケジューリングにより送信されたデータに対する受信判定を行い、この受信判定結果を第１の制御情報として生成する受信判定部；及び
前記第１の制御情報をシステム帯域の端に位置する第１の無線リソースに割り当て、ユーザ個別に割り当てられた無線リソースで送信される第２の制御情報を前記第１の無線リソースに隣接する第２の無線リソースの指定位置に割り当てることにより、前記第１及び第２の制御情報を前記上りリンク制御チャネルに多重する制御情報多重部；
を有するユーザ装置。
【００５０】
（２）前記制御情報多重部は、前記上りリンク制御チャネルを、システム帯域の端に位置する周波数ブロックに割り当てた後に、該第１の周波数ブロックに周波数領域で隣接する第２の周波数ブロックに割り当てる、（１）に記載のユーザ装置。
【００５１】
（３）前記制御情報多重部は、前記第１及び第２の制御情報を符号領域で多重して、前記第１の周波数ブロックに割り当てた後に、前記第２の周波数ブロックに割り当てる、（２）に記載のユーザ装置。
【００５２】
（４）前記上りリンク制御チャネルの無線リソース量は、所定の上限を有する、（１）に記載のユーザ装置。
【００５３】
（５）前記第２の制御情報は、
チャネル品質情報；
スケジューリング要求情報；及び
パーシステント・スケジューリングで送信されたデータに対する受信判定結果；
のうち少なくとも１つを有する、（１）に記載のユーザ装置。
【００５４】
（６）シングルキャリア方式で上りリンク制御チャネルをユーザ装置から受信する基地局であって：
スケジューリングにより前記ユーザ装置に送信するデータに対して第１の制御情報として生成される受信判定結果が、システム帯域の端に位置する第１の無線リソースに割り当てられるように、前記上りリンク制御チャネルの割り当てを決定する第１の制御チャネル情報生成部；及び
ユーザ個別に割り当てた無線リソースで送信される第２の制御情報が前記第１の無線リソースに隣接する第２の無線リソースに割り当てられるように、前記上りリンク制御チャネルの割り当てを決定する第２の制御チャネル情報生成部；
を有する基地局。
【００５５】
（７）ユーザ装置から基地局に対してシングルキャリア方式で送信される上りリンク制御チャネルを構成する上りリンク制御チャネル構成方法であって：
前記基地局が、スケジューリングにより前記ユーザ装置に送信するデータに対して第１の制御情報として生成される受信判定結果が、システム帯域の端に位置する第１の無線リソースに割り当てられるように、前記上りリンク制御チャネルの割り当てを決定するステップ；
前記基地局が、ユーザ個別に割り当てた無線リソースで送信される第２の制御情報が前記第１の無線リソースに隣接する第２の無線リソースに割り当てられるように、前記上りリンク制御チャネルの割り当てを決定するステップ；
前記ユーザ装置が、前記基地局からスケジューリングにより送信されたデータに対する受信判定を行い、この受信判定結果を前記第１の制御情報として生成するステップ；及び
前記ユーザ装置が、前記第１の制御情報を第１の無線リソースに割り当て、前記第２の制御情報を前記第２の無線リソースの指定位置に割り当てることにより、前記第１及び第２の制御情報を前記上りリンク制御チャネルに多重するステップ；
を有する上りリンク制御チャネル構成方法。
【符号の説明】
【００５６】
１０  ユーザ装置
１０１  制御情報生成部
１０３  制御情報多重部
１０５  下りデータ受信部
２０  基地局
２０１  制御チャネル割り当て部
２０３  制御情報分離部
２０５  制御情報受信部
２０７  ユーザ個別制御チャネル情報生成部
２０９  ユーザ共通制御チャネル情報生成部
２１１  制御チャネル情報多重部
【図１】
2010213353.tif 000003
【図２】
2010213353.tif 000004
【図３】
2010213353.tif 000005
【図４】
2010213353.tif 000006
【図５】
2010213353.tif 000007
【図６】
2010213353.tif 000008
【図７】
2010213353.tif 000009
【図８】
2010213353.tif 000010